(57)【要約】      （修正有）【課題】ＲＨ真空脱ガス装置の浸漬管に付着したスラグを簡易に効率良く除去することができるＲＨ真空脱ガス装置浸漬管付着スラグの簡易除去装置および簡易除去方法を提供する。【解決手段】浸漬管付着スラグ簡易除去装置１０は、浸漬管１の下端面に付着したスラグを除去する浸漬管下端面付着スラグ除去刃３１を取り付けた部位３０と、浸漬管１同士の間に付着したスラグを除去する浸漬管間付着スラグ除去刃２１を取り付けた部位２０とからなり、浸漬管１の変形などによって当該装置１０にその強度を超える負荷が作用しても、スラグ除去刃２１、３１のバネ３２による傾動とシャーピンの切断によって当該装置１０を保護し、かつ当該装置１０を人手で容易かつ早急に復旧することができる。【選択図】図１
2012219337.tif 000002
【特許請求の範囲】
【請求項１】
ＲＨ真空脱ガス装置下部の浸漬管に付着したスラグを除去するための簡易除去装置であって、浸漬管を溶鋼に浸漬して抜き出した後、浸漬管に付着したスラグを除去する際に、当該装置の強度を超える負荷が作用しても当該装置を保護し、かつ当該装置を人手で容易かつ早急に復旧できるように、スラグ除去用の刃を取り付けた部位を前後に傾動可能とし、スラグ除去の際はスラグ除去用の刃を取り付けた部位を当該装置の本体に、当該装置の強度未満の強度を有するシャーピンで固定するようにした構造であることを特徴とする浸漬管付着スラグの簡易除去装置。
【請求項２】
浸漬管の下端面に付着したスラグを除去する浸漬管下端面付着スラグ除去刃を取り付けた部位と、浸漬管同士の間に付着したスラグを除去する浸漬管間付着スラグ除去刃を取り付けた部位からなり、ＲＨ真空脱ガス装置の下で溶鋼鍋を積載して移動するＲＨ台車に設置され、前記浸漬管下端面スラグ除去用刃はＲＨ台車進行方向とほぼ直角に取り付けられ、前記浸漬管間付着スラグ除去刃はＲＨ台車進行方向とほぼ平行に取り付けられ、前記浸漬管間付着スラグ除去刃の取り付け部位が請求項１に記載の構造を有することを特徴とする浸漬管付着スラグの簡易除去装置。
【請求項３】
請求項２に記載の簡易除去装置を用いて、ＲＨ台車の移動のみによってスラグを除去することを特徴とする浸漬管付着スラグの簡易除去方法。
【発明の詳細な説明】
【技術分野】
【０００１】
本発明は、ＲＨ真空脱ガス装置の浸漬管に付着したスラグの簡易除去装置および簡易除去方法に関するものである。
【背景技術】
【０００２】
従来、ＲＨ真空脱ガス装置の浸漬管に付着したスラグを除去する際には、浸漬管を外周方向に囲む刃が取り付けられた装置を浸漬管に対して、上昇・下降させたり（例えば、特許文献１参照）、外周方向に回転させたり（例えば、特許文献２参照）して、スラグを除去している。また、スラグ除去用の垂直刃をバネで支持したものをＲＨ台車（ＲＨ真空脱ガス装置用の溶鋼鍋輸送台車）に設置して、ＲＨ台車を浸漬管側に移動させることによって、浸漬管下部に付着したスラグをかき落として除去する方法も行われている（例えば、特許文献３参照）。
【先行技術文献】
【特許文献】
【０００３】
【特許文献１】特開平１０−８１９１２号公報
【特許文献２】特開平２−２９０６６５号公報
【特許文献３】実開昭５８−１１１１４８号公報
【発明の概要】
【発明が解決しようとする課題】
【０００４】
しかし、特許文献１、２に記載のスラグ除去用の刃をもった装置を浸漬管に対して上昇・下降させたり、回転させたりしてスラグを削り取る方法では、スラグ除去用の刃を駆動する駆動部があるため、装置の構造が複雑になり、１５００℃を超える溶鋼に浸漬した後の浸漬管から放射される高温の放射熱の影響で壊れやすいという欠点があった。加えて、スラグ除去の際には、浸漬管の真下に専用の装置を配置する必要があり、生産を一時中断する必要があり、能率が著しく低下していた。さらに、スラグ除去装置に過荷重が加わり故障した場合、装置を元に復旧するのに大幅に時間が掛かっていた。
【０００５】
また、特許文献３に記載のスラグ除去用の垂直刃をバネで支持したものをＲＨ台車に設置してスラグを除去する方法では、浸漬管下端面のみスラグの除去が可能であり、浸漬管同士の間に付着したスラグの除去は全くできなかった。
【０００６】
本発明は、上記のような事情に鑑みてなされたものであり、ＲＨ真空脱ガス装置の浸漬管に付着したスラグを簡易に効率良く除去することができるＲＨ真空脱ガス装置浸漬管付着スラグの簡易除去装置および簡易除去方法を提供することを目的とするものである。
【課題を解決するための手段】
【０００７】
前記課題を解決するために、本発明は以下の特徴を有する。
【０００８】
［１］ＲＨ真空脱ガス装置下部の浸漬管に付着したスラグを除去するための簡易除去装置であって、浸漬管を溶鋼に浸漬して抜き出した後、浸漬管に付着したスラグを除去する際に、当該装置の強度を超える負荷が作用しても当該装置を保護し、かつ当該装置を人手で容易かつ早急に復旧できるように、スラグ除去用の刃を取り付けた部位を前後に傾動可能とし、スラグ除去の際はスラグ除去用の刃を取り付けた部位を当該装置の本体に、当該装置の強度未満の強度を有するシャーピンで固定するようにした構造であることを特徴とする浸漬管付着スラグの簡易除去装置。
【０００９】
［２］浸漬管の下端面に付着したスラグを除去する浸漬管下端面付着スラグ除去刃を取り付けた部位と、浸漬管同士の間に付着したスラグを除去する浸漬管間付着スラグ除去刃を取り付けた部位からなり、ＲＨ真空脱ガス装置の下で溶鋼鍋を積載して移動するＲＨ台車に設置され、前記浸漬管下端面スラグ除去用刃はＲＨ台車進行方向とほぼ直角に取り付けられ、前記浸漬管間付着スラグ除去刃はＲＨ台車進行方向とほぼ平行に取り付けられ、前記浸漬管間付着スラグ除去刃の取り付け部位が前記［１］に記載の構造を有することを特徴とする浸漬管付着スラグの簡易除去装置。
【００１０】
［３］前記［２］に記載の簡易除去装置を用いて、ＲＨ台車の移動のみによってスラグを除去することを特徴とする浸漬管付着スラグの簡易除去方法。
【発明の効果】
【００１１】
本発明においては、ＲＨ真空脱ガス装置の浸漬管に付着したスラグを簡易に効率良く除去することができる。
【００１２】
すなわち、本発明においては、単純な構造で壊れにくく、かつ生産を止めることなく能率よくスラグを除去できる。さらに、浸漬管の変形などによって過負荷が加わった場合でも、特定の部位が壊れるような構造のため、事後のメンテナンスが容易に行える。
【図面の簡単な説明】
【００１３】
【図１】本発明の一実施形態を示す側面図である。
【図２】本発明の一実施形態における要部拡大側面図である。
【図３】本発明の一実施形態におけるＲＨ台車を示す図である。
【発明を実施するための形態】
【００１４】
本発明の一実施形態を図面に基づいて説明する。
【００１５】
図１は、本発明の一実施形態を示す側面図である。
【００１６】
図１に示すように、本発明の一実施形態における浸漬管付着スラグ簡易除去装置１０は、浸漬管１の下端面に付着したスラグを除去する浸漬管下端面付着スラグ除去刃３１を取り付けた部位３０と、浸漬管１同士の間に付着したスラグを除去する浸漬管間付着スラグ除去刃２１を取り付けた部位２０とからなる単純な構造となっている。
【００１７】
そして、この浸漬管付着スラグ簡易除去装置１０はＲＨ真空脱ガス装置の下で溶鋼鍋を積載して移動するＲＨ台車（ＲＨ真空脱ガス装置用の溶鋼鍋輸送台車）に設置され、浸漬管下端面スラグ除去用刃３１はＲＨ台車進行方向とほぼ直角に取り付けられ、浸漬管間付着スラグ除去刃２１はＲＨ台車進行方向とほぼ平行に取り付けられる。
【００１８】
図２は、浸漬管間付着スラグ除去刃２１を取り付けた部位２０の拡大側面図である。
【００１９】
図２に示すように、浸漬管間付着スラグ除去刃２１はバネ２２で支持されていて、前後に傾動可能になっている。そして、浸漬管１に付着したスラグを除去する際に、浸漬管付着スラグ簡易除去装置１０の本体１１にシャーピン２３で固定される。
【００２０】
同様に、浸漬管下端面付着スラグ除去刃３１を取り付けた部位３０では、浸漬管下端面付着スラグ除去刃３１はバネ３２で支持されていて、前後に傾動可能になっている。
【００２１】
これによって、この実施形態においては、浸漬管１を溶鋼に浸漬して抜き出した後、浸漬管１に付着したスラグを除去する際に、浸漬管１の変形などによって浸漬管付着スラグ簡易除去装置１０にその強度を超える負荷が作用しても、スラグ除去刃２１、３１のバネ２２、３２による傾動とシャーピン２３の切断によって当該装置１０を保護し、かつ当該装置１０を人手で容易かつ早急に復旧することができる。
【００２２】
そして、図３に示すように、溶鋼鍋３を搭載するＲＨ台車２に浸漬管付着スラグ簡易除去装置１０を設置することにより、操業を止めることなく、ＲＨ台車２の移動のみによって、浸漬管１同士の間に付着したスラグおよび浸漬管１の下端面に付着したスラグを除去することができる。
【００２３】
このようにして、この実施形態においては、ＲＨ真空脱ガス装置の浸漬管１に付着したスラグを簡易に効率良く除去することができる。
【符号の説明】
【００２４】
１  浸漬管
２  ＲＨ台車
３  溶鋼鍋
１０  浸漬管付着スラグ簡易除去装置
１１  浸漬管付着スラグ簡易除去装置の本体
２０  浸漬管間付着スラグ除去刃を取り付けた部位
２１  浸漬管間付着スラグ除去刃
２２  バネ
２３  シャーピン
３０  浸漬管下端面付着スラグ除去刃を取り付けた部位
３１  浸漬管下端面付着スラグ除去刃
３２  バネ
【図１】
2012219337.tif 000003
【図２】
2012219337.tif 000004
【図３】
2012219337.tif 000005